(57)【特許請求の範囲】
【請求項１】
ネットワークを介して相互に通信可能に接続されたユーザー端末と眼科情報処理サーバーとを含む眼科情報処理システムであって、
前記ユーザー端末が、
眼科検査装置により取得された被検眼の画像データを記憶する記憶部と、
１以上の種別の画像解析処理を前記画像データに施す第１解析処理部と、
前記画像データに対する画像解析処理の種別を指定する指定部と、
指定された前記種別を表す処理種別情報と前記画像データとを、前記ネットワークを介して前記眼科情報処理サーバーに向けて送信する送信部と、
を有し、
前記眼科情報処理サーバーが、
前記ユーザー端末から送信された前記処理種別情報及び前記画像データを受信する受信部と、
当該処理種別情報に対応する画像解析処理を当該画像データに施す第２解析処理部と、
当該画像データに対する当該画像解析処理により得られた解析結果データを、前記ネットワークを介して前記ユーザー端末に向けて送信する送信部と、
を有し、
前記第２解析処理部は、前記第１解析処理部によって実行不可能な画像解析処理を実行可能であり、
前記ユーザー端末は、
表示部と、
前記第１解析処理部によって実行不可能かつ前記第２解析処理部によって実行可能な画像解析処理に関するユーザーインターフェイスを前記表示部に表示させる表示制御部と、
を有する、
眼科情報処理システム。
【請求項２】
前記ユーザー端末は、
操作部を有し、
前記第１解析処理部によって実行不可能かつ前記第２解析処理部によって実行可能な画像解析処理に関する指示が前記ユーザーインターフェイス及び前記操作部を用いてなされたことに対応して、当該指示の内容を表す指示内容情報を前記送信部により前記眼科情報処理サーバーに向けて送信し、
前記眼科情報処理サーバーは、
当該指示内容情報に基づく前記画像解析処理を前記第２解析処理部により実行し、
該画像解析処理により得られた前記解析結果データを前記送信部により前記ユーザー端末に向けて送信し、
前記表示制御部が、当該解析結果データに基づく情報を前記表示部に表示させる、
ことを特徴とする請求項１に記載の眼科情報処理システム。
【請求項３】
前記ユーザーインターフェイスは、前記第１解析処理部によって実行不可能かつ前記第２解析処理部によって実行可能な画像解析処理の種別を選択可能に提示し、
前記ユーザー端末は、
操作部を有し、
前記種別の選択が前記ユーザーインターフェイス及び前記操作部を用いてなされたことに対応して、当該選択の内容を表す選択内容情報を前記送信部により前記眼科情報処理サーバーに向けて送信し、
前記眼科情報処理サーバーは、
前記第１解析処理部によって実行不可能かつ前記第２解析処理部によって実行可能な画像解析処理に対応するプログラムをあらかじめ記憶する配信プログラム記憶部と、
当該選択内容情報に対応するプログラムを前記配信プログラム記憶部から読み出す読出処理部と、
を有し、
読み出された前記プログラムを前記送信部により前記ユーザー端末に向けて送信する、
ことを特徴とする請求項１に記載の眼科情報処理システム。
【請求項４】
ネットワークを介して相互に通信可能にユーザー端末に接続された眼科情報処理サーバーであって、
前記ユーザー端末から送信された、眼科検査装置により取得された被検眼の画像データと、前記画像データに対する画像解析処理の種別を表す処理種別情報とを受信する受信部と、
前記処理種別情報に対応する画像解析処理を前記画像データに施す解析処理部と、
前記画像データに対する当該画像解析処理により得られた解析結果データを、前記ネットワークを介して前記ユーザー端末に向けて送信する送信部と、
を有し、
前記解析処理部は、前記ユーザー端末によって実行不可能な画像解析処理を実行可能であり、
前記ユーザー端末によって実行不可能かつ前記解析処理部によって実行可能な画像解析処理に関するユーザーインターフェイスを前記ユーザー端末の表示部に表示させる、
眼科情報処理サーバー。
【請求項５】
ネットワークを介して相互に通信可能に接続されたユーザー端末と眼科情報処理サーバーとにより実行される眼科情報処理方法であって、
前記ユーザー端末が、眼科検査装置により取得された被検眼の画像データを記憶するステップと、
前記ユーザー端末が、前記画像データに対する画像解析処理の種別を指定するステップと、
前記ユーザー端末が、指定された前記種別を表す処理種別情報と前記画像データとを、前記ネットワークを介して前記眼科情報処理サーバーに向けて送信するステップと、
前記眼科情報処理サーバーが、前記ユーザー端末から送信された前記処理種別情報及び前記画像データを受信するステップと、
前記眼科情報処理サーバーが、当該処理種別情報に対応する画像解析処理を当該画像データに施すステップと、
前記眼科情報処理サーバーが、当該画像データに対する当該画像解析処理により得られた解析結果データを、前記ネットワークを介して前記ユーザー端末に向けて送信するステップと、
を含み、
前記眼科情報処理サーバーは、前記ユーザー端末によって実行不可能な画像解析処理を実行可能であり、
前記ユーザー端末は、前記ユーザー端末によって実行不可能かつ前記眼科情報処理サーバーによって実行可能な画像解析処理に関するユーザーインターフェイスを表示する、
眼科情報処理方法。
【発明の詳細な説明】
【技術分野】
【０００１】
この発明は眼科情報処理システム、眼科情報処理サーバー及び眼科情報処理方法に関する。
【背景技術】
【０００２】
情報ネットワークの発達に伴い、従来各ユーザー端末で行っていた情報処理をネットワーク上のサーバーで行い、その処理結果を端末に提供するサービスが普及してきている。たとえば特許文献１には、ユーザーから提供を受けた画像情報の編集をネットワーク経由で受け付け、ユーザーの希望する編集内容にしたがって編集画像データを作成してネットワーク経由でユーザーに提供するシステムが開示されている。
【０００３】
このような流れは医療分野においても同様である。その一例として、特許文献２には、端末医療機関において最小限の診断検査器で得られた診断・検査データを、専門家スタッフがいる精密医療機関にネットワーク経由で送信し、その精密医療機関においてデータ解析処理を行ない、その処理結果をネットワーク経由で端末医療機関に送信するシステムが開示されている。
【０００４】
ところで、眼科分野では、他の診療科と比較して、多種多様の画像診断が日常的に用いられている。そのための検査装置としては、スリットランプ、眼底カメラ、光干渉断層計、スペキュラーマイクロスコープ、ケラトメーター、超音波診断装置などがある。また、手術時には眼科手術用顕微鏡が用いられている。更に、これら装置の各々には様々な画像解析機能が設けられている。眼科では、患者眼の状態に応じて検査の種別（つまり装置の種別及び画像解析の種別）を選択し、これら検査の結果を参照して診断を行っている。まとめると、眼科においては、大規模な医療機関はもちろん中規模・小規模の医療機関であっても、上記のような装置を用いて様々な画像診断を日常的な診療において実施しているという現状がある。
【０００５】
一方、眼科で用いられる装置は、たとえば光干渉断層計の応用の広がりに見られるように急速な進歩を続けており、画像解析手法についても日進月歩の様相を呈している。このような先進的な解析手法だけでなく多種多様な画像診断手法を多くの医療機関で実施できるようにすることは当然、患者にとっても医師にとっても望ましいことである。
【先行技術文献】
【特許文献】
【０００６】
【特許文献１】特開２００２−１０９２４８号公報
【特許文献２】特開２００５−１６５９９６号公報
【発明の概要】
【発明が解決しようとする課題】
【０００７】
しかしながら、各医療機関に設置された装置に様々な画像診断機能を搭載することは、装置の仕様やコンピューターのリソースを考慮すると困難である。また、装置メーカーの現在のサービス体制から考えても、新たな画像解析機能を多くの医療機関の装置に迅速に搭載させることは困難である。したがって、上記した望ましい環境を実現することは現状では難しい。
【０００８】
この発明は、このような問題を解決するためになされたものであり、その目的は、多くの医療機関において多種多様な眼科画像解析を実施することが可能な眼科情報処理システム、眼科情報処理サーバー及び眼科情報処理方法を提供することにある。
【課題を解決するための手段】
【０００９】
上記目的を達成するために、請求項１に記載の発明は、ネットワークを介して相互に通信可能に接続されたユーザー端末と眼科情報処理サーバーとを含む眼科情報処理システムであって、前記ユーザー端末が、眼科検査装置により取得された被検眼の画像データを記憶する記憶部と、１以上の種別の画像解析処理を前記画像データに施す第１解析処理部と、前記画像データに対する画像解析処理の種別を指定する指定部と、指定された前記種別を表す処理種別情報と前記画像データとを、前記ネットワークを介して前記眼科情報処理サーバーに向けて送信する送信部と、を有し、前記眼科情報処理サーバーが、前記ユーザー端末から送信された前記処理種別情報及び前記画像データを受信する受信部と、当該処理種別情報に対応する画像解析処理を当該画像データに施す第２解析処理部と、当該画像データに対する当該画像解析処理により得られた解析結果データを、前記ネットワークを介して前記ユーザー端末に向けて送信する送信部と、を有し、前記第２解析処理部は、前記第１解析処理部によって実行不可能な画像解析処理を実行可能であり、前記ユーザー端末は、表示部と、前記第１解析処理部によって実行不可能かつ前記第２解析処理部によって実行可能な画像解析処理に関するユーザーインターフェイスを前記表示部に表示させる表示制御部と、を有する。
【発明の効果】
【００１０】
この発明によれば、ユーザー端末から送信された画像データ及び処理種別情報に基づいて眼科情報処理サーバーが画像解析処理を実行し、それにより得られた解析結果データをユーザー端末に送信するように構成されているので、多くの医療機関において多種多様な眼科画像解析を実施することが可能である。
【図面の簡単な説明】
【００１１】
【図１】実施形態に係る眼科情報処理システムの構成の一例を表す概略ブロック図である。
【図２】実施形態に係る眼科情報処理システムの構成の一例を表す概略ブロック図である。
【図３】実施形態に係る眼科情報処理システムの構成の一例を表す概略ブロック図である。
【図４】実施形態に係る眼科情報処理システムの動作の一例を表すフローチャートである。
【発明を実施するための形態】
【００１２】
眼科情報処理システム、眼科情報処理サーバー及び眼科情報処理方法の実施形態の一例について、図面を参照しながら詳細に説明する。
【００１３】
［全体構成］
実施形態に係る眼科情報処理システムの構成例を図１に示す。眼科情報処理システム１は、眼科情報処理サーバー２００を有する。更に、眼科情報処理システム１は、ネットワークを介して眼科情報処理サーバー２００と相互に通信可能に接続された、ユーザー端末１００、１００Ａ及び１４０を含む。また、ユーザー端末１００、１００Ａ及び１４０は、少なくとも眼科分野における情報、特に眼科検査装置により取得された被検眼の画像データを処理する。
【００１４】
一般に、ネットワークを介して眼科情報処理サーバー２００と通信可能なユーザー端末は、図１に示したもの以外にも複数存在する。また、眼科検査装置は眼科情報処理システムに含まれている必要はなく、それにより得られた画像データがユーザー端末に記憶される構成であればよい。眼科検査装置は、当該医療機関Ｈ内に設置されていてもよいし、他の医療機関に設置されていてもよいし、可搬型であってもよい。
【００１５】
ネットワークは、インターネット等の広域ネットワーク（ＷＡＮ、Ｗｉｄｅ  Ａｒｅａ  Ｎｅｔｗｏｒｋ）Ｎを含んで構成される。この実施形態においては、医療機関Ｈ内に設置されたユーザー端末１００は、ＬＡＮ（Ｌｏｃａｌ  Ａｒｅａ  Ｎｅｔｗｏｒｋ）によって相互に通信可能に院内サーバー１５０を介して、広域ネットワークＮに接続されている。ネットワークの一部又は全部は、有線通信回線であっても無線通信回線であってもよい。また、ネットワークの一部又は全部は、専用線回線であっても公衆回線であってもよい。なお、ネットワークはこのような形態に限定されるものではなく、各ユーザー端末と眼科情報処理サーバーとの間における双方向通信が可能であれば、その具体的構成は任意である。
【００１６】
ユーザー端末１００は、たとえば、ユーザーたる医師が各種医療情報を閲覧したり電子カルテを編集したりするために使用するコンピューターである。ユーザー端末１００Ａは、このユーザーが使用するコンピューターであり、たとえばモバイルコンピューターである。ユーザーは、ユーザー端末１００に記憶されているデータをユーザー端末１００Ａに記憶させることができる。このデータの移動は任意の形態で行うことができる。たとえば、ＵＳＢメモリー等の可搬記憶媒体を介してデータを移動させてもよいし、ユーザー端末１００及び１００Ａの間に確立された通信回線を介してデータを移動させてもよいし、ユーザー端末１００及び１００Ａを物理的に接続してデータを移動させてもよい。ユーザーは、ユーザー端末１００Ａを医療機関Ｈ外に持ち出して使用することができる。ユーザー端末１４０は、ユーザー端末１００のユーザーとは異なるユーザーが使用するコンピューターである。
【００１７】
院内サーバー１５０は、医療機関Ｈ内における各種情報処理を司るコンピューターである。院内サーバー１５０は、たとえば、病院情報システム（Ｈｏｓｐｉｔａｌ  Ｉｎｆｏｒｍａｔｉｏｎ  Ｓｙｓｔｅｍ、ＨＩＳ）、電子カルテシステム、レセプトシステム（診療報酬システム）、放射線科情報システム（Ｒａｄｉｏｌｏｇｙ  Ｉｎｆｏｒｍａｔｉｏｎ  Ｓｙｓｔｅｍ、ＲＩＳ）などの各種システムとして機能する。院内サーバー１５０は、たとえばＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｍｅ）に準拠したフォーマット及び通信プロトコルで画像データを管理している。ＤＩＣＯＭでは、画像データに付帯情報（タグ情報）を付帯して情報の管理を行なっている。
【００１８】
眼科情報処理サーバー２００は、データセンターＤに設置されており、眼科情報処理システム１によるサービスを各ユーザー端末に提供する。眼科情報処理サーバーは、単一のデータセンター内に設置されていてもよいし、２以上のデータセンターに分散配置されていてもよい。後者の場合、２以上のデータセンターに設置された複数の眼科情報処理サーバーが、ネットワークを介して相互に通信可能に構成されていてもよい。その場合、複数の眼科情報処理サーバーを統合的に管理するサーバーを別途設けることができる。
【００１９】
以下、眼科情報処理システム１を構成する各装置の構成を説明する。なお、院内サーバー１５０については、一般的なものを用いることができるので、その詳細な説明は省略する。また、ユーザー端末１００、１００Ａ及び１４０については、その基本的な構成は同様であってよいので、ユーザー端末１００についてのみ詳細に説明する。
【００２０】
［ユーザー端末］
ユーザー端末１００は、制御部１０１と、通信部１０２と、データ記憶部１０３と、表示部１０４と、表示制御部１０５と、操作部１０６と、処理種別指定部１０７と、電子カルテデータ記憶部１０８と、記録処理部１０９と、解析処理部１１０と、患者情報削除部１１１と、識別情報付与部１１２と、暗号化処理部１１３とを有する。患者情報削除部１１１、識別情報付与部１１２及び暗号化処理部１１３は、制御部１０１の制御の下に選択的に動作する。
【００２１】
〔制御部〕
制御部１０１は、ユーザー端末１００の各部を制御する。制御部１０１は、たとえばマイクロプロセッサーや記憶装置を含んで構成される。マイクロプロセッサーは、記憶装置に格納されているプログラムに基づいて、所定の制御処理や演算処理を実行する。制御部１０１が実行する処理については後述する。
【００２２】
〔通信部〕
通信部１０２は、院内サーバー１５０との間でデータ通信を行う。このデータ通信には、院内サーバー１５０に向けてデータを送信する処理と、院内サーバー１５０から送信されたデータを受信する処理とが含まれる。通信部１０２は、医療機関Ｈ内に構築されたネットワークに準拠した構成を有し、たとえばＬＡＮアダプター等の通信機器を含む。通信部１０２は「ユーザー端末の送信部」として機能する。
【００２３】
〔データ記憶部〕
データ記憶部１０３は、ユーザー端末１００による処理に供される各種のデータが記憶される。このデータには、少なくとも、眼科検査装置により取得された被検眼の画像データが含まれる。記憶部１０３は、たとえばハードディスクドライブのように、データの書き込み及び読み出しが可能な記憶装置により構成される。データの書き込み処理及び読み出し処理は、制御部１０１により実行される。データ記憶部１０３は「記憶部」として機能する。なお、電子カルテデータについては電子カルテデータ記憶部１０８に記憶されるものとする。
【００２４】
これら記憶部は、単一の記憶装置の異なる記憶領域により構成されていてもよいし、個別の記憶装置により構成されていてもよい。また、これら記憶部の少なくとも一部がユーザー端末１００として機能するコンピューターに接続された記憶装置であってもよい。また、これら記憶部の少なくとも一部を院内サーバー１５０に設けるようにしてもよい。いずれにしても、これら記憶部は、記憶されている情報をユーザー端末１００から任意のタイミングで読み出すことが可能であればよい。
【００２５】
〔表示部〕
表示部１０４は、たとえばフラットパネルディスプレイやＣＲＴディスプレイのような表示デバイスを含んで構成される。
【００２６】
〔表示制御部〕
表示制御部１０５は、制御部１０１からの指示に基づいて、各種の情報を表示部１０４に表示させる。表示される情報としては、画像データに基づく画像や、電子カルテや、各種操作画面や入力画像等のユーザーインターフェイスなどがある。このユーザーインターフェイスを表示させるためのデータは、たとえば制御部１０１の記憶装置（前述）に記憶されている。
【００２７】
〔操作部〕
操作部１０６は、指示入力や情報入力に用いられる。操作部１０６は、たとえばキーボード、マウス、トラックボール、ジョイスティック、操作パネルなどの任意の操作デバイスを含んで構成される。
【００２８】
〔処理種別指定部〕
処理種別指定部１０７は、眼科検査装置により取得された画像データに対する画像解析処理の種別を指定する。画像解析処理とは、画像データを解析することで目的の処理結果を得るデータ処理を意味する。目的の処理結果には、生体組織の形態（位置、サイズ等）の特定、病変部の検出、病変の有無の判断など、眼科での診断に供される各種の情報が含まれる。処理種別指定部１０７は「指定部」として機能する。
【００２９】
画像解析処理の種別の指定について説明する。処理種別の指定は、ユーザーが指示した内容を受けて処理種別指定部１０７が行うこともできるし、処理種別指定部１０７が自動で行うこともできる。
【００３０】
前者の場合、ユーザーは、たとえば表示部１０４に表示された処理種別の選択肢のうちの所望のものを、操作部１０６を用いて指定する。また、ユーザーは、表示部１０４に表示された所定の入力欄に、操作部１０６を用いて所望の処理種別を入力する。処理種別指定部１０７は、この指定内容や入力内容に対応する処理種別を当該画像データに対する画像解析処理として指定する。
【００３１】
後者の場合、たとえばデータ記憶部１０３には、処理種別を自動で指定するための情報があらかじめ記憶される。この情報としては、たとえば、画像データの種別（画像の撮影対象、つまり眼底、角膜等）と処理種別とが対応付けられた情報（データ種別／処理種別対応情報）、疾患名と処理種別とが対応付けられた情報（疾患名／処理種別対応情報）、当該被検眼の画像データに対して過去に施された画像解析処理を表す情報（処理履歴情報）などがある。データ種別／処理種別対応情報が用いられる場合、処理種別指定部１０７は、たとえば画像データの付帯情報に記録された当該画像データの種別情報に対応する処理種別を特定する。疾患名／処理種別対応情報が用いられる場合、処理種別指定部１０７は、当該患者の電子カルテデータ又は付帯情報に記録された当該被検眼の疾患名に対応する処理種別を特定する。処理履歴情報が用いられる場合、処理種別指定部１０７は、この処理履歴情報に含まれる過去の画像解析処理（たとえば前回のもの）に対応する処理種別を特定する。なお、処理履歴が複数存在する場合、当該画像データの種別や疾患名を併せて考慮することで、処理種別を一意に特定するようにしてもよい。また、いずれの対応情報が用いられる場合においても（２以上の対応情報を組み合わせて用いる場合も含む）、処理種別を一意に特定できない場合には、特定された２以上の処理種別や全ての処理種別を選択可能に表示部１０４に表示させ、ユーザーに選択させるようにしてもよい。
【００３２】
〔電子カルテデータ記憶部〕
電子カルテデータ記憶部１０８は、各患者の電子カルテデータを記憶する。各患者の電子カルテデータは、当該患者の識別情報（患者ＩＤ、氏名等）を用いて個別に管理される。或るタイミングにおいて記憶されている電子カルテデータは、医療機関Ｈ（における当該診療科、つまり眼科）の全ての患者のものであってもよいし、現に診療対象となっている患者のものだけでもよいし、所定の期間（たとえば本日）に診療対象となっている患者のものだけでもよいし、ユーザーが任意に選択した患者のものだけであってもよい。なお、院内サーバー１５０の電子カルテシステムによって全ての患者の電子カルテデータを管理し、ユーザー端末１００からの要求に応じた電子カルテデータを逐次にユーザー端末１００で閲覧・編集できるように構成することもできる。
【００３３】
〔記録処理部〕
記録処理部１０９は、眼科情報処理サーバー２００から送信された解析結果データ（後述）を、当該患者の電子カルテデータに記録する処理を行う。この解析結果データには、識別情報が付与されている。この識別情報は、たとえば当該患者の識別情報や、当該画像データの識別情報である。後者の場合、画像データを眼科情報処理サーバー２００に送信するときに、当該画像データの識別情報と当該患者の識別情報とを対応付けた情報を生成してたとえばデータ記憶部１０３に記憶させ、この情報を参照して解析結果データに対応する患者の識別情報を特定すればよい。記録処理部１０９は、解析結果データに対応する患者識別情報に基づいて当該患者の電子カルテデータを検索し、その電子カルテデータに解析結果データを記録する。
【００３４】
〔解析処理部〕
解析処理部１１０は、眼科検査装置により取得された画像データに対して各種の画像解析処理を実行する。特に、解析処理部１１０は、眼科情報処理サーバー２００により実行可能な画像解析処理のうちの少なくとも一部の画像解析処理を実行可能とされる。解析処理部１１０には、各画像解析処理を実行するためのプログラムが記憶されている。
【００３５】
眼科検査装置により取得された画像データとしては、スリットランプにより取得された前眼部像や眼底像の画像データ、眼底カメラにより取得された眼底像や蛍光画像の画像データ、光干渉断層計により取得された前眼部や眼底の断層像や３次元画像の画像データ、スペキュラーマイクロスコープにより取得された角膜内皮画像の画像データ、ケラトメーターにより取得された角膜像の画像データ、超音波診断装置により取得された前眼部像や眼底像の画像データなどがある。また、解析処理部１１０が実行する画像解析処理には、これら画像データに対して施される公知のあらゆる画像処理が含まれる。
【００３６】
〔患者情報削除部〕
患者情報削除部１１１は、画像データの付帯情報に記録された各種情報のうちから患者情報を削除する。患者情報には、患者の個人情報に関する情報、たとえば氏名、性別、年齢、住所等が含まれる。たとえばＤＩＣＯＭを用いる場合、ＤＩＣＯＭタグにはデータ長や患者情報や検査条件や左右眼情報などが記録される。患者情報削除部１１１は、これら情報のうち少なくとも患者情報を検索して削除する。なお、検査条件には、眼科検査装置による検査（撮影）において適用された各種パラメーターが含まれる。また、左右眼情報とは、当該画像に描写された被検眼が左眼であるか右眼であるかを示す情報である。
【００３７】
〔識別情報付与部〕
識別情報付与部１１２は、画像データに対して所定の識別情報（画像データ識別情報）を付与する。画像データ識別情報には患者情報は含まれない。画像データ識別情報は、患者情報とは無関係な情報に基づいて設定される。患者情報に無関係な情報としては、たとえば、ユーザー端末の識別情報（端末ＩＤ）、ユーザー端末毎に設定される通し番号、ユーザー（医師）識別情報（ユーザーＩＤ）、日時情報、乱数情報などがある。
【００３８】
〔暗号化処理部〕
暗号化処理部１１３は、画像データに関連付けられた患者情報を暗号化する。この暗号化処理は、任意の情報を暗号化するための公知の手法でよい。暗号化処理部１１３は「第１暗号化処理部」として機能する。
【００３９】
また、暗号化処理部１１３は、画像データを暗号化する。この暗号化処理は、画像データを暗号化するための公知の手法でよい。暗号化処理部１１３は「第２暗号化処理部」として機能する。
【００４０】
［眼科情報処理サーバー］
眼科情報処理サーバー２００は、制御部２０１と、通信部２０２と、アカウント管理部２１０と、解析処理部２２０と、処理結果比較部２３１と、配信プログラム記憶部２４１と、読出処理部２４２とを有する。
【００４１】
〔制御部〕
制御部２０１は、眼科情報処理サーバー２００の各部を制御する。制御部２０１は、たとえばマイクロプロセッサーや記憶装置を含んで構成される。マイクロプロセッサーは、記憶装置に格納されているプログラムに基づいて、所定の制御処理や演算処理を実行する。制御部２０１が実行する処理については後述する。
【００４２】
〔通信部〕
通信部２０２は、ネットワークＮを介して、ユーザー端末１００、１００Ａ及び１４０（を含む複数のユーザー端末）のそれぞれとの間でデータ通信を行う。このデータ通信には、各ユーザー端末に向けてデータを送信する処理と、各ユーザー端末から送信されたデータを受信する処理とが含まれる。通信部２０２は、ネットワークＮに準拠した構成を有し、たとえばモデム等の通信機器を含む。通信部１０２は「眼科情報処理サーバーの受信部」及び「眼科情報処理サーバーの送信部」として機能する。
【００４３】
〔アカウント管理部〕
アカウント管理部２１０は、ユーザー毎にあらかじめ付与されたユーザー識別情報に基づいてユーザー毎のアカウントを管理する。ここにおける「ユーザー毎」には、ユーザーたる医師毎、及び、ユーザー端末毎の双方の意味が含まれる。
【００４４】
なお、この実施形態ではアカウントを利用してユーザー毎に情報を管理する構成について説明するが、これには限定されない。たとえば、画像データの識別情報を用いて画像データ毎に情報を管理する構成や、医療機関ごとに情報を管理する構成や、複数ユーザーからなるユーザーグループ毎に情報を管理する構成など、任意の構成を適用することが可能である。
【００４５】
アカウント管理部２１０は、情報記憶部２１１と、課金情報記憶部２１２と、情報管理部２１３とを有する。
【００４６】
（情報記憶部）
情報記憶部２１１は、各アカウントにおいて管理される情報を記憶する。各アカウントにおいて管理される情報は、アカウント毎に付与された識別情報（アカウントＩＤ）に関連付けられて管理される。アカウントＩＤは、たとえば前述のユーザーＩＤである。各アカウントにおいて管理される情報には、画像データ、各種識別情報、課金額に関する情報などが含まれる。
【００４７】
情報記憶部２１１への情報の書き込み処理、及び、情報記憶部２１１からの情報の読み出し処理は、情報管理部２１３により実行される。情報管理部２１３は、画像データに付与されている識別情報（たとえばユーザーＩＤ）に基づき当該ユーザーのアカウントを検索し、そのアカウントにおいて管理される情報の記憶領域に当該画像データを記憶させる。更に、情報管理部２１３は、同様の処理により、解析処理部２２０が画像データを解析して生成した解析結果データを当該ユーザーのアカウントの記憶領域に記憶させる。また、情報管理部２１３は、他の装置（ユーザー端末等）からの情報提供の要求に付された識別情報に基づいて、これに対応するアカウントを検索し、そのアカウントの記憶領域から情報を読み出す。
【００４８】
（課金情報記憶部）
課金情報記憶部２１２には、画像解析処理の種別と課金額とを対応付けた課金情報があらかじめ記憶すされている。解析処理部２２０は、被検眼の様々な画像の画像データに対して、様々な種別の画像解析処理を実行する。課金情報は、たとえば、これら画像解析処理の種別（画像の種別を含んでいてもよい）のそれぞれに対して課金額が対応付けられたテーブル情報である。
【００４９】
課金額は、たとえば、診療報酬が設定されている処理種別については診療報酬額に基づいて決定され、それ以外の処理種別については任意に決定される。また、ユーザーに応じて異なる課金額が適用されるようにしてもよい。たとえば、当該システムの使用頻度やユーザー又は医療機関の種別などに応じて課金額を変更することができる。また、眼科情報処理サーバー２００に係る負荷やサービスの減額期間など、当該システムを利用するタイミングに応じて、課金額を変更することができる。また、適用の有無を任意に指定可能なオプション処理を有する画像解析処理については、各オプション処理に追加課金額が対応付けられていてもよい。このような課金額の変更や追加は、情報管理部２１３により実行される。
【００５０】
（情報管理部）
情報管理部２１３は、各ユーザーのアカウントに関する各種の情報処理を実行する。この情報処理には、前述した各種処理が含まれる。これら以外の情報処理については後述する。
【００５１】
情報管理部２１３は、解析処理部２２０による画像解析処理が実行されたことに対応して、当該画像解析処理に対応する課金額を課金情報に基づき取得する。更に、情報管理部２１３は、この課金額と当該ユーザーのユーザーＩＤとを関連付けて情報記憶部２１１に記憶する。それにより、ユーザー毎の課金額をアカウントで管理することができる。情報管理部２１３は「課金管理部」として機能する。
【００５２】
〔解析処理部〕
解析処理部２２０は、各種の画像解析処理を画像データに施す。解析処理部２２０は、プログラム記憶部２２１と、プログラム選択部２２２と、標準データ記憶部２２３と、処理実行部２２４と、更新処理部２２５とを有する。
【００５３】
（プログラム記憶部）
プログラム記憶部２２１には、各種の画像解析処理を行うためのプログラムがあらかじめ記憶されている。各プログラムには、それに対応する画像解析処理の種別を表す情報（処理種別情報）が関連付けられている。
【００５４】
（プログラム選択部）
プログラム選択部２２２は、ユーザーが要求した画像解析処理の種別に対応するプログラムを、プログラム記憶部２２１に記憶されたプログラムのうちから選択する。この処理は、処理種別情報を参照して実行される。プログラム選択部２２２は「選択部」として機能する。
【００５５】
（標準データ記憶部）
標準データ記憶部２２３には、所定の画像解析処理において参照される標準データがあらかじめ記憶されている。標準データは、眼科検査装置により複数の被検眼について得られた複数の画像データに画像解析処理を施して複数の解析結果データを取得し、これら解析結果データを統計的に処理することで生成される。標準データには、複数の解析結果データの代表値（平均値、中央値等）や、ばらつき情報（標準偏差、分散等）が含まれる。標準データの例として、正常眼の眼底の所定の層の厚さがある。各標準データには、処理種別情報が関連付けられている。
【００５６】
（処理実行部）
処理実行部２２４は、プログラム選択部２２２により選択されたプログラムに基づいて、画像データに対する画像解析処理を実行する。また、処理実行部２２４は、実行対象の画像解析処理の処理種別情報に関連付けられた標準データが存在するか否か判断し、存在する場合にはその標準データを標準データ記憶部２２３から取得する。
【００５７】
（更新処理部）
更新処理部２２５は、眼科検査装置により得られた新たな画像データに基づく解析結果データに基づいて、標準データ記憶部２２３に記憶されている標準データを更新する。
【００５８】
標準データは、複数の解析結果データに基づくものであるから、一般に、サンプル数が増えれば信頼性も増す。また、眼科検査装置の性能の向上や解析処理の精度向上などにより、解析結果データの精度の向上も期待される。したがって、新たに得られた解析結果データを用いて標準データの更新を行うことには意味があると考えられる。更新処理部２２５は、このような背景に鑑み、標準データの更新を行うものである。
【００５９】
新たな画像データ又は解析結果データは、たとえば、通信部２０２を介して、又は記録媒体に記録されたものをドライブ装置（図示せず）で読み取ることにより、眼科情報処理サーバー２００に入力される。なお、新たな画像データが入力される場合、処理実行部２２４が、新たな画像データから解析結果データを生成する。一方、解析結果データが入力される場合、この解析結果データは他の装置（ユーザー端末、専用の解析装置等）により実行される。
【００６０】
更新処理は、現在の標準データに新たな解析結果データを反映させるものよいし、現在の標準データを新たな標準データで置換するものであってもよい。
【００６１】
〔処理結果比較部〕
ユーザー端末１００の解析処理部１１０と、眼科情報処理サーバー２００の解析処理部２２０とは、少なくとも１つの同じ種別の画像解析処理を実行するものとする。この場合において、双方の解析結果データが同じになるとは限らない。たとえば、双方の装置にインストールされているプログラムのバージョンが異なる場合がある。また、双方の装置のリソース（マイクロプロセッサー、メモリー等の能力）が大きく異なる場合もある。ユーザーに提供されるサービスを考慮すると、双方の装置による解析結果データが同じであるか、少なくともユーザー端末１００による解析結果データが許容できるものである必要がある。処理結果比較部２３１は、このような状況を担保するためのものである。
【００６２】
つまり、処理結果比較部２３１は、双方の装置で実行可能な画像解析処理について、ユーザー端末１００により得られた解析結果データと、眼科情報処理サーバー２００により得られた解析結果データとを比較する。解析結果データが数値の場合、処理結果比較部２３１は、双方の数値の大小関係を比較する。大小関係には、差や比などが含まれる。一方、解析結果データが数値でない場合には、所定の比較処理が実行される。たとえば解析結果データが病変部に相当する画像領域の特定結果である場合、双方の特定結果（画像領域）の位置、大きさ、形状などを比較する。この比較結果としては、数値（差、比など）、類似度合などがある。
【００６３】
処理結果比較部２３１により得られた比較結果は、任意の目的に用いることができる。この使用目的の例として、プログラムのバージョンの比較、ユーザー端末１００のリソースの評価、バグの有無などがある。この処理は、眼科情報処理サーバー２００の制御部２０１や、ユーザー端末１００の制御部１０１によって実行される。
【００６４】
〔配信プログラム記憶部〕
配信プログラム記憶部２４１には、ユーザー端末１００により実行不可能な画像解析処理に対応するプログラムがあらかじめ記憶されている。この画像解析処理には、ユーザー端末１００により実行不可能な種別の画像解析処理だけでなく、バージョンの異なるプログラムによる画像解析処理や、異なる標準データを用いた画像解析処理も含まれる。また、ユーザー端末により実行不可能な画像処理とは、全てのユーザー端末により実行不可能なことを意味するのではなく、少なくとも１台のユーザー端末により実行不可能なものであればよい。配信プログラム記憶部２４１に記憶されている各プログラムには、プログラムの識別情報が関連付けられている。
【００６５】
〔読出処理部〕
読出処理部２４２には、ユーザーにより選択された上記実行不可能な画像解析処理の種別の選択結果（バージョンや標準データが相違する場合も含む）を表す情報（選択内容情報）が入力される。選択内容情報には、ユーザー端末１００の識別情報と、プログラムの識別情報とが含まれている。読出処理部２４２は、入力された選択内容情報に含まれる識別情報に関連付けられたプログラムを、配信プログラム記憶部２４２に記憶されているプログラムのうちから検索し、これを読み出す。読み出されたプログラムは、ユーザー端末１００の識別情報に基づき、制御部２０１の制御の下、通信部２０２によってユーザー端末１００に送られる。
【００６６】
［動作］
眼科情報処理システム１の動作について説明する。以下、眼科情報処理システム１の各種動作についてそれぞれ説明する。なお、この発明に係る眼科情報処理システムは、以下の動作の全てを実行可能である必要はない。また、以下ではユーザー端末１００が処理を行う場合について説明しているが、他の任意のユーザー端末も同様の処理を行うことが可能である。ユーザー端末１００のデータ記憶部１０３には、画像データ及び付帯情報が既に記憶されているものとする。
【００６７】
〔第１の動作例〕
まず、実施形態に係る眼科情報処理システム１の基本的な動作について説明する。図１に示すフローチャートは、この基本動作の一例を表す。
【００６８】
（Ｓ１：画像データの選択）
ユーザーが、眼科情報処理サーバー２００に画像解析処理を依頼する画像データを選択する。そのために、表示制御部１０５は、所定のユーザーインターフェイスを表示部１０４に表示させる。このユーザーインターフェイスには、患者を指定するためのキー（又は入力スペース）が設けられている。ユーザーは、操作部１０６を用いて、キーを操作する（又は患者ＩＤを入力する）ことにより、患者を指定する。制御部１０１は、指定された患者の患者ＩＤに関連付けられた画像データをデータ記憶部１０３から検索する。表示制御部１０５は、検索された画像データのリスト又はサムネイルを表示部１０４に表示させる。ユーザーは、操作部１０６を用いて、所望の画像データを選択する。このとき、１つ以上の任意の個数の画像データを選択することができる。
【００６９】
（Ｓ２：処理種別の指定）
処理種別指定部１０７は、ユーザーによる指定に基づき（又は前述の対応情報を参照して自動的に）、ステップ１で選択された画像データに対する画像解析処理の種別を指定する。
【００７０】
（Ｓ３：画像データ等の送信）
制御部１０１は、ステップ１で選択された画像データと、ステップ２で指定された処理種別を表す処理種別情報とを関連付ける。更に、制御部１０１は、通信部１０２を制御して、この画像データと処理種別情報を端末ＩＤとともに眼科情報処理サーバー２００に送信させる。
【００７１】
（Ｓ４：画像データ等の受信）
眼科情報処理サーバー２００の通信部２０２は、ユーザー端末１００から送信された画像データ、処理種別情報及び端末ＩＤを受信する。
【００７２】
（Ｓ５：画像解析処理の実行）
制御部２０１は、ステップ４で受信された画像データを処理実行部２２４に、処理種別情報をプログラム選択部２２２にそれぞれ送る。プログラム選択部２２２は、この処理種別情報に対応するプログラムをプログラム記憶部２２１から取得して処理実行部２２４に送る。処理実行部２２４は、このプログラムに基づいて、この画像データに対して画像解析処理を施す。処理実行部２２４は、この画像解析処理により得られた処理結果データを制御部２０１に送る。
【００７３】
（Ｓ６：解析結果データの送信）
制御部２０１は、ステップ４で受信された端末ＩＤに基づいてユーザー端末１００のアドレス（ＩＰアドレス等）を取得する。ここで、眼科情報処理サーバー２００（たとえば情報記憶部２１１）には、端末ＩＤとアドレスとを対応付けた情報があらかじめ記憶されており、制御部２０１はこの情報を参照して目的のアドレスを特定する。なお、端末ＩＤを参照する代わりに、ステップ３、４の送受信処理で使用されたユーザー端末１００のアドレスを返信先として用いるようにしてもよい。制御部２０１は、取得されたアドレスに解析結果データを送信する。
【００７４】
（Ｓ７：解析結果データの受信）
ユーザー端末１００の通信部１０２は、眼科情報処理サーバー２００から送信された解析結果データを受信する。
【００７５】
（Ｓ８：解析結果データの表示）
表示制御部１０５は、ステップ７で受信された解析結果データを表示部１０４に表示させる。
【００７６】
〔第２の動作例〕
一般に医用画像には高いセキュリティが求められる。そのための動作例を説明する。前述のように、データ記憶部１０３に記憶されている画像データには付帯情報が対応付けられている。付帯情報には患者情報が含まれている。以下に説明するセキュリティ対策の例は、個人情報である患者情報や画像データ自体の漏洩等を防止するためのものである。
【００７７】
なお、以下の例を任意に組み合わせて適用することが可能である。また、いずれの例の処理を実行するか選択可能に構成することができる。この選択は、たとえば、表示部１０４に表示されるユーザーインターフェイス及び操作部１０６を用いて行うことができる。
【００７８】
第１の例を説明する。図１のステップ１（画像データの選択）からステップ３（画像データ等の送信）までの間の任意のタイミングにおいて、患者情報削除部１１１は、選択された画像データの付帯情報から少なくとも患者情報を削除する。このとき、患者情報に代えてダミーのデータを付帯情報に記録させてもよい。ステップ３において、制御部１０１は、通信部１０２を制御して、患者情報が削除された付帯情報と画像データとを眼科情報処理サーバー２００に向けて送信させる。
【００７９】
第２の例を説明する。図１のステップ１からステップ３までの間の任意のタイミングにおいて、識別情報付与部１１２は、選択された画像データに対し、患者情報以外の識別情報を付与する。ここで、識別情報を付与する態様は任意である。たとえば、付帯情報に記録された患者情報を削除し、その代わりに識別情報を記録するようにしてもよい。また、新たな付帯情報の記録領域（ＤＩＣＯＭタグ）を生成し、この記録領域に識別情報を記録させてもよい。ステップ３において、制御部１０１は、通信部１０２を制御して、付与された識別情報と画像データとを眼科情報処理サーバー２００に向けて送信させる。このとき、この画像データに元々付帯されていた患者情報は送信されない。
【００８０】
第３の例を説明する。図１のステップ１からステップ３までの間の任意のタイミングにおいて、暗号化処理部１１３は、選択された画像データの付帯情報に記録されている患者情報を暗号化する。ステップ３において、制御部１０１は、通信部１０２を制御して、暗号化された患者情報を含む付帯情報と画像データとを眼科情報処理サーバー２００に向けて送信させる。このとき、暗号化された患者情報以外の付帯情報の全てを送信する必要はない。
【００８１】
第４の例を説明する。図１のステップ１からステップ３までの間の任意のタイミングにおいて、暗号化処理部１１３は、選択された画像データを暗号化する。ステップ３において、制御部１０１は、通信部１０２を制御して、暗号化された画像データとその他情報（付帯情報等）を眼科情報処理サーバー２００に向けて送信させる。
【００８２】
以上においては、ユーザー端末１００から眼科情報処理サーバー２００に画像データ等を送信する場合のセキュリティ対策について説明したが、ユーザー端末１００から画像データ等を任意の形態で出力する場合にも同様の処理を行うことができる。この出力形態としては、ユーザー端末１００から他のコンピューターに画像データ等を送信する場合、ユーザー端末１００のドライブ装置（図示せず）を用いて記録媒体に画像データ等を記録する場合、プリンターを用いて画像データに基づく画像等を印刷する場合などがある。
【００８３】
〔第３の動作例〕
ユーザー端末１００によって実行不可能な画像解析処理を眼科情報処理サーバー２００が実行可能である場合における動作例を説明する。このような画像解析処理を特定画像解析処理と呼ぶことにする。
【００８４】
第１の例を説明する。表示制御部１０５は、所定のユーザーインターフェイスを表示部１０４に表示させる。このユーザーインターフェイスには、特定画像解析処理に関する情報として、少なくとも特定画像解析処理の種別を表す情報が提示される。ユーザーは、ユーザーインターフェイス及び操作部を用いて、特定画像解析処理に関する指示、少なくともその種別を指定する操作を行う。制御部１０１は、通信部１０２を制御して、この指示の内容を表す情報（指示内容情報）を端末ＩＤとともに眼科情報処理サーバー２００に向けて送信させる。このとき、ユーザーにより選択された画像データも送信することができる。その場合、特定画像解析処理に関する指示は、図１に示すステップ３（画像データ等の送信）より前の任意のタイミングで行われる。また、過去に眼科情報処理サーバー２００に送信された画像データに特定画像解析処理を施す場合には、この画像データの識別情報を指示内容情報とともに送信することができる。
【００８５】
眼科情報処理サーバー２００の解析処理部２２０は、第１の動作例と同様にして、この特定画像解析処理を当該画像データに施す。それにより得られた解析結果データは、端末ＩＤに基づいてユーザー端末１００に向けて送信される。ユーザー端末１００は、この解析結果データを表示部１０４に表示する。
【００８６】
第２の例を説明する。表示制御部１０５は、所定のユーザーインターフェイスを表示部１０４に表示させる。このユーザーインターフェイスには、特定画像解析処理の種別を選択可能に提示される。その提示態様としては、処理種別のリスト表示、プルダウンメニュー表示、アイコン表示などがある。ユーザーは、ユーザーインターフェイス及び操作部を用いて、処理種別を選択する操作を行う。この操作は任意のタイミングで行うことができる。制御部１０１は、通信部１０２を制御して、この選択の内容を表す情報（選択内容情報）を端末ＩＤとともに眼科情報処理サーバー２００に向けて送信させる。
【００８７】
眼科情報処理サーバー２００の読出制御部２４２は、ユーザー端末１００から送信された選択内容情報に対応するプログラムを配信プログラム記憶部２４１から読み出す。読み出されたプログラムは、端末ＩＤに基づいてユーザー端末１００に向けて送信される。
【００８８】
ユーザー端末１００の制御部１０１は、通信部１０２が受信したプログラムを解析処理部１１０に記憶させる。このプログラムは、たとえばユーザーの指示に対応してユーザー端末１００にインストールされる。それにより、ユーザー端末１００によってこのプログラムに対応する特定画像解析処理の実行が可能になる。
【００８９】
第３の例を説明する。この例において、ユーザー端末１００は、眼科情報処理サーバー２００が実行可能な画像解析処理のうちの少なくとも一部を実行可能であるとする。ユーザー端末１００の解析処理部１１０は、ユーザーにより指示された画像解析処理を画像データに施して解析結果データを生成する。制御部１０１は、通信部１０２を制御して、この解析結果データを眼科情報処理サーバー２００に向けて送信させる。このとき、当該画像データを解析結果データとともに送ることができる。なお、当該画像データが送信済みである場合にはその必要はない。また、被検眼を撮影して得られた画像データを用いる代わりに、所定のテスト用画像データを用いることも可能である。
【００９０】
眼科情報処理サーバー２００の制御部２０１は、通信部２０２が受信した解析結果データを処理結果比較部２３１に送る。また、制御部２０１は、当該画像データ（テスト用画像データでもよい）に基づく解析結果データを処理結果比較部２３１に送る。処理結果比較部２３１は、ユーザー端末１００により得られた解析結果データと、眼科情報処理サーバー２００により得られた解析結果データとを比較する。制御部２０１は、その比較結果に基づいて所定の処理を実行する。この所定の処理としては、比較結果のユーザー端末１００への送信がある。また、比較結果に応じて配信プログラム記憶部２４１に記憶されたプログラムを読み出してユーザー端末１００へ送信することもできる。
【００９１】
〔第４の動作例〕
標準データを更新する処理について説明する。
【００９２】
眼科情報処理サーバー２００の管理者は、新たな画像データ又はこれに基づく解析結果データを、所望のタイミングで眼科情報処理サーバー２００に入力する。画像データが入力された場合、制御部２０１は、解析処理部２２０を制御して、当該画像データに基づく解析結果データを生成させる。入力された解析結果データ又は生成された解析結果データは、更新処理部２５５に送られる。更新処理部２５５は、この解析結果データに基づいて、標準データ記憶部２２３に記憶されている標準データを更新する。
【００９３】
〔第５の動作例〕
ユーザー毎のアカウントに関する動作例について説明する。そのための基本構成として、各ユーザー端末は、ネットワークＮを介して相互に通信可能に眼科情報処理サーバー２００と接続されており、かつ、眼科情報処理サーバー２００（のアカウント管理部２１０）は、ユーザー毎にあらかじめ付与されたユーザー識別情報（ユーザーＩＤ）に基づいてユーザー毎のアカウントを管理するようになっている。以下、この基本構成により実現される処理の例を説明する。
【００９４】
第１の例は、課金に関する処理である。前述のように、アカウント管理部２１０の課金情報記憶部２１２には、画像解析処理の種別と課金額とを対応付けた課金情報があらかじめ記憶されている。ユーザー端末１００からの依頼に応じて眼科情報処理サーバー２００の解析処理部２２０により画像解析処理が実行されると、制御部２０１は、実行された画像解析処理の処理種別を表す処理種別情報（及び当該ユーザーのユーザーＩＤ）を情報管理部２１３に送る。情報管理部２１３は、当該ユーザーＩＤに関連付けられたアカウントを検索する。更に、情報管理部２１３は、当該処理種別情報に示す処理種別に対応する課金額を課金情報を参照して特定する。そして、情報管理部２１３は、特定された課金額を当該ユーザーのアカウントに記録する。この記録処理では、たとえば処理種別、処理日時、適用されたパラメーターなど、当該画像解析処理に関する情報が課金額とともにともに記録される。これら情報を処理履歴と呼ぶ。
【００９５】
ユーザーは、ユーザー端末１００を操作して、眼科情報処理サーバー２００から処理履歴を呼び出すことができる。ユーザー端末１００は、処理履歴に基づく情報を表示する。このとき、処理履歴に含まれる課金額の合計額を算出して表示することができる。また、課金額を所定の支払アカウントから引き落とすこともできる。この支払アカウントとしては、銀行口座、クレジットカード、プリペイドカードなどがある。
【００９６】
第２の例では、一人のユーザーが複数のユーザー端末を利用する場合における処理を説明する。ここでは、ユーザー端末１００及び１００Ａが用いられる場合について説明する。なお、一人のユーザーが使用可能なユーザー端末の台数は２台には限定されず、２以上の任意の台数であってよい。当該ユーザーのアカウントには、ユーザー端末１００及び１００Ａのそれぞれの端末ＩＤが事前に登録されているものとする。つまり、当該ユーザーのユーザーＩＤには、双方の端末ＩＤが関連付けられているものとする。情報記憶部２１１において当該ユーザーに割り当てられた記憶領域は、ユーザー端末単位であってもよいし、ユーザー単位であってもよい。
【００９７】
ユーザーが医療機関Ｈの外部でユーザー端末１００Ａを使用して、画像データ並びにユーザーＩＤ及び／又は端末ＩＤを眼科情報処理サーバー２００に送信したとする。
【００９８】
眼科情報処理サーバー２００は、前述の要領で、当該画像データに対して画像解析処理を施す。得られた解析結果データは、制御部２０１によりユーザーＩＤ（及び／又は端末ＩＤ）とともに情報管理部２１３に送られ、情報管理部２１３により当該ユーザーＩＤ（又は端末ＩＤ）に対応する記憶領域に格納される。また、制御部２０１は、通信部２０２を制御して、この解析結果データをユーザー端末１００Ａに向けて送信させる。
【００９９】
また、当該画像解析処理の依頼元であるユーザー端末１００Ａから任意の解析結果データ（ユーザー端末１００から解析依頼があったものも含む）の送信指示がなされると、情報管理部２１３は、送信指示に含まれる端末ＩＤ（又はユーザーＩＤ）に対応付けられた解析結果データを当該ユーザーのアカウントから読み出し、制御部２０１に送る。制御部２０１は、通信部２０２を制御して、この解析結果データをユーザー端末１００Ａに向けて送信させる。
【０１００】
同様に、ユーザー端末１００から任意の解析結果データ（ユーザー端末１００Ａから解析依頼があったものも含む）の送信指示がなされると、情報管理部２１３は、送信指示に含まれる端末ＩＤ（又はユーザーＩＤ）に対応付けられた解析結果データを当該ユーザーのアカウントから読み出し、制御部２０１に送る。制御部２０１は、通信部２０２を制御して、この解析結果データをユーザー端末１００に向けて送信させる。
【０１０１】
第３の例では、他のユーザーに対するデータの公開／非公開の設定及びそれに関する処理について説明する。他のユーザーは、図１に示すユーザー端末１４０を使用する。
【０１０２】
情報記憶部２１１は、ユーザーＩＤに関連付けられて記憶されている情報、つまり当該ユーザーによりアカウントへの保存指示がなされた情報を、他のユーザーに開示可能な情報（開示可能情報）と、開示不可能な情報（開示不可能情報）とに分類して記憶している（アカウント単位で開示可能／開示不可能が設定されている場合も含む）。
【０１０３】
ここで、開示対象の他のユーザーは、全ユーザーでもよいし、特定のユーザーに限定されていてもよい。前者の場合、ユーザーはそのための設定操作を行う。後者の場合、ユーザーは開示対象の他のユーザーを指定する操作を行う。なお、複数のユーザーでグループを形成し、グループ単位で公開／非公開を設定するようにしてもよい。
【０１０４】
また、情報漏洩等のおそれを勘案すると、公開／非公開の設定におけるデフォルトは非公開設定であることが望ましいと考えられる。つまり、公開するためには所定の操作を行う必要があるようにシステムを構成することが望ましいと考えられる。
【０１０５】
当該ユーザー以外のユーザー（閲覧依頼ユーザー）のユーザー端末１４０から、当該ユーザーのアカウントに保存されている情報の閲覧要求がなされたとする。この閲覧要求には、閲覧依頼ユーザーのユーザーＩＤや、ユーザー端末１４０の端末ＩＤ（及びアドレス）や、閲覧を望む情報の種別を表す情報などが含まれている。
【０１０６】
情報管理部２１３は、当該情報（解析結果データ、画像データ等）が開示可能情報であるかを、上記分類に基づいて判断する。開示可能情報でない場合、つまり開示不可能情報である場合、情報管理部２１３はその旨の情報を制御部２０１に送る。制御部２０１は、この情報を受けて、閲覧が不可能である旨の情報をユーザー端末１４０に送る。
【０１０７】
ユーザー端末１４０は、閲覧が不可能である旨の情報（文字列メッセージ等）を表示する。他方、当該情報が開示可能情報である場合、情報管理部２１３は、閲覧依頼ユーザーのユーザーＩＤが、開示対象であるか否か判断する。開示対象である場合、この情報はユーザー端末１４０に送られる。開示対象でない場合には、開示不可能情報の場合と同様の処理が実行されて、ユーザー端末１４０に文字列メッセージ等が表示される。
【０１０８】
なお、情報を他のユーザーに開示した場合、その旨（開示履歴）を当該ユーザーのアカウントに記録することができる。この開示履歴には、開示したユーザーに関する情報（ユーザーＩＤ、氏名等）、開示日時、開示された情報の種別などが含まれる。当該ユーザーは、開示履歴を閲覧することができる。また、各ユーザーの閲覧要求の頻度等を監視することにより、情報漏洩等に対処するようにしてもよい。
【０１０９】
この第３の例において、アカウント管理部２１０が、他のユーザーのユーザー端末１４０から当該ユーザーのアカウントに向けて送信されたデータを、当該ユーザーのユーザーＩＤに関連付けて情報記憶部２１１に記憶させるようにしてもよい。
【０１１０】
具体例として、まず、他のユーザーは、ユーザー端末１４０を用いて、当該ユーザーを指定して所望のデータを眼科情報処理サーバー２００に向けて送信する。この送信データには、たとえば当該ユーザーのユーザーＩＤが関連付けられている。
【０１１１】
眼科情報処理サーバー２００の制御部２０１は、通信部２０２が受信した当該データ及びユーザーＩＤを情報管理部２１３に送る。情報管理部２１３は、このユーザーＩＤに基づいて当該ユーザーのアカウントを特定し、このアカウントに対応する情報記憶部２１１の記憶領域にこのデータを記憶させる。つまり、このデータは、当該ユーザーのユーザーＩＤに関連付けられて情報記憶部２１１に記憶される。
【０１１２】
これに加えて、次のような処理を実行できるように眼科情報処理システム１を構成することが可能である。まず、当該ユーザーは、ユーザー端末１００を用いて、他のユーザーのコメントを依頼するための指示（依頼指示）を眼科情報処理サーバー２００に向けて送信する。この依頼指示には、他のユーザーのユーザーＩＤ及び当該ユーザーのユーザーＩＤが関連付けられている。また、他のユーザーへの依頼内容（たとえば、画像データを読影してもらいたい旨の文字列情報）を依頼指示とともに送信することができる。更に、他のユーザーに閲覧させたい画像の画像データ及び／又は解析結果データを、依頼指示とともに送信することが可能である。また、過去に眼科情報処理サーバー２００に送信された画像データに基づく画像を他のユーザーに閲覧させたい場合には、当該画像データの識別情報を依頼指示とともに送信することが可能である。
【０１１３】
眼科情報処理サーバー２００の制御部２０１は、通信部２０２が受信した依頼指示及びユーザーＩＤを情報管理部２１３に送る。情報管理部２１３（又は制御部２０１）は、他のユーザーのユーザーＩＤと、情報記憶部２１１に記憶された他のユーザーの情報とに基づいて、他のユーザーのアドレスを特定する。また、画像データの識別情報を受信した場合、情報管理部２１３は、当該ユーザーのユーザーＩＤに基づいて当該ユーザーのアカウントを特定し、当該画像データの識別情報に基づいて当該画像データ及び／又はその解析結果データを情報記憶部２１１から読み出す。情報管理部２１３は、制御部２０１を介して通信部２０２を制御することで、当該画像データ及び／又は解析結果データを他のユーザーのユーザー端末１４０に向けて送信させる。このとき、当該ユーザーに関する情報（氏名、所属医療機関名、ユーザーＩＤ等）や上記依頼内容をともに送信することが可能である。
【０１１４】
このような依頼を受けた他のユーザーは、画像や解析結果データを閲覧し、ユーザー端末１４０を用いてコメントを作成する。このとき、他のユーザーが閲覧を行った旨や、閲覧が所定期間なされなかった旨を、眼科情報処理サーバー２００経由でユーザー端末１００に向けて送るようにしてもよい。作成されたコメントは、他のユーザーのユーザーＩＤや当該ユーザーのユーザーＩＤと関連付けられて、ユーザー端末１４０から眼科情報処理サーバー２００に向けて送信される。
【０１１５】
眼科情報処理サーバー２００の情報管理部２１３は、当該ユーザーのユーザーＩＤに基づいて、このコメント及び他のユーザーのユーザーＩＤを、当該ユーザーのアカウントに記憶する。このとき、情報管理部２１３は、このコメント又はこれが届いた旨をユーザー端末１００に向けて送信させるようにしてもよい。後者の場合、当該ユーザーは、コメントの送信指示を眼科情報処理サーバー２００に向けて送信し、これを受けた眼科情報処理サーバー２００は当該コメントをユーザー端末１００に送信する。
【０１１６】
〔第６の動作例〕
眼科情報処理サーバー２００により得られた解析結果データをユーザー端末１００で閲覧可能な電子カルテに記録する処理について説明する。なお、電子カルテデータを院内サーバー１５０が管理している場合には、院内サーバー１５０が当該処理を実行するように構成できる。その場合、ユーザー端末には院内サーバー１５０も含まれるものとする。
【０１１７】
たとえば第１の動作例で説明した要領で、ユーザー端末１００が、眼科情報処理サーバー２００により得られた解析結果データを受信する。この解析結果データには、記録処理部１０９の項で説明した識別情報が付されている。記録処理部１０９は、この識別情報に基づいて当該患者の患者識別情報を特定する。そして、記録処理部１０９は、この患者識別情報に基づいて当該患者の電子カルテデータを電子カルテデータ記憶部１０８から検索し、その電子カルテデータにこの解析結果データを記録する。
【０１１８】
［作用・効果］
この実施形態に係る眼科情報処理システム１の作用及び効果について説明する。
【０１１９】
眼科情報処理システム１は、ネットワークＮを介して相互に通信可能に接続されたユーザー端末１００（並びに１００Ａ及び１４０）と眼科情報処理サーバー２００とを含んで構成される。
【０１２０】
ユーザー端末１００は、データ記憶部１０３と、処理種別指定部１０７と、通信部１０２とを有する。データ記憶部１０３には、眼科検査装置により取得された被検眼の画像データが記憶される。処理種別指定部１０７は、画像データに対する画像解析処理の種別を指定する。通信部１０２は、指定された種別を表す処理種別情報と画像データとを、ネットワークＮを介して眼科情報処理サーバー２００に向けて送信する。
【０１２１】
眼科情報処理サーバーは、通信部２０２と、解析処理部２２０とを有する。通信部２０２は、ユーザー端末１００から送信された処理種別情報及び前記画像データを受信する。解析処理部２２０は、この処理種別情報に対応する画像解析処理をこの画像データに施して解析結果データを生成する。通信部２０２は、この解析結果データをネットワークＮを介してユーザー端末１００に向けて送信する。
【０１２２】
このような眼科情報処理システム１によれば、医療機関Ｈ側のユーザー端末１００から依頼を受けた画像解析処理を眼科情報処理サーバー２００で実行し、その処理結果をユーザー端末１００に提供することができる。したがって、ユーザー端末１００では実行できない画像解析処理、たとえば、ユーザー端末１００に搭載されていない画像解析処理や、ユーザー端末１００のリソースでは実行が不可能又は困難な画像解析処理であっても、その処理結果をユーザーに提供することが可能である。
【０１２３】
また、ユーザー端末１００で他の作業を行なっているときに、眼科情報処理サーバー２００に画像解析処理を実行させることも可能である。また、ユーザー端末１００が使用されていないときに、眼科情報処理サーバー２００に画像解析処理を実行させることも可能である。
【０１２４】
このように、眼科情報処理システム１によれば、多くの医療機関において多種多様な眼科画像解析を実行することが可能である。また、ユーザー端末１００の使用状態に関わらず、画像解析処理を行うことができるという利点もある。
【０１２５】
解析処理部２２０は、プログラム記憶部２２１と、プログラム選択部２２２と、処理実行部２２４とを含んで構成されていてもよい。プログラム記憶部２２１には、複数種別の画像解析処理に対応する複数のプログラムがあらかじめ記憶されている。プログラム選択部２２２は、ユーザー端末１００から送信されて通信部２０２が受信した処理種別情報について、これに対応するプログラムをプログラム記憶部２２１に記憶された複数のプログラムのうちから選択する。処理実行部２２４は、この選択されたプログラムに基づいて、この処理種別情報に関連付けられた画像データに対する画像解析処理を実行する。
【０１２６】
ユーザー端末１００は、次のように構成されていてもよい。データ記憶部１０３には、画像データと、これに付帯された当該患者の患者情報を含む付帯情報とが記憶されている。ユーザー端末１００は、この付帯情報から患者情報を削除する患者情報削除部１１１を有する。そして、ユーザー端末１００は、患者情報削除部１１１により患者情報が削除された付帯情報と画像データとを通信部１０２により眼科情報処理サーバー２００に向けて送信する。
【０１２７】
このように構成することで、眼科情報処理サーバー２００に向けて患者情報が送信されることがないので、患者情報の漏洩を防止することができる。
【０１２８】
また、ユーザー端末１００は、次のように構成されていてもよい。上記と同様に、データ記憶部１０３には画像データと付帯情報とが記憶されている。ユーザー端末１００は、画像データに対し、患者情報以外の識別情報を付与する識別情報付与部１１２を有する。そして、ユーザー端末１００は、識別情報付与部１１２により付与された識別情報と画像データとを通信部１０２により眼科情報処理サーバー２００に向けて送信する。
【０１２９】
このように構成することで、眼科情報処理サーバー２００に向けて患者情報が送信されることがないので、患者情報の漏洩を防止することができる。
【０１３０】
また、ユーザー端末１００は、次のように構成されていてもよい。データ記憶部１０３には、画像データと、当該患者の患者情報とが記憶されている。ユーザー端末１００は、患者情報を暗号化する暗号化処理部１１３を有する。そして、ユーザー端末１００は、暗号化処理部１１３により暗号化された患者情報と画像データとを通信部１０２により眼科情報処理サーバー２００に向けて送信する。
【０１３１】
このように患者情報を暗号化して眼科情報処理サーバー２００に向けて送信することで、患者情報の漏洩のおそれを低減させることができる。
【０１３２】
また、ユーザー端末１００は、暗号化処理部１１３により画像データを暗号化し、この暗号化された画像データを通信部１０２よって眼科情報処理サーバー２００に向けて送信するように構成されていてもよい。それにより、画像データの漏洩のおそれを低減させることができる。
【０１３３】
なお、これらと同様のセキュリティ向上機能を眼科情報処理サーバー２００に設けることが可能である。つまり、情報記憶部２１１に記憶されている患者情報や画像データを出力するときに、患者情報を削除したり、患者情報以外の識別情報を付与したり、患者情報を暗号化したり、画像データを暗号化したりするように、眼科情報処理サーバー２００を構成することが可能である。
【０１３４】
眼科情報処理システム１は、次のように構成されていてもよい。ユーザー端末１００の解析処理部１１０が、１以上の種別の画像解析処理を実行可能であり、かつ、眼科情報処理サーバー２００の解析処理部２００が、ユーザー端末１００によって実行不可能な画像解析処理を実行可能である。
【０１３５】
このように構成することで、ユーザー端末１００は、自身で実行できない画像解析処理による解析結果データを取得することができる。
【０１３６】
眼科情報処理システム１は、次のように構成されていてもよい。ユーザー端末１００は、表示部１０４と、表示制御部１０５と、操作部と１０６とを有する。表示制御部１０５は、ユーザー端末１００により実行不可能な画像解析処理に関するユーザーインターフェイスを表示部１０４に表示させる。ユーザー端末１００は、自身で実行不可能な画像解析処理に関する指示がユーザーインターフェイス及び操作部１０６を用いてなされたことに対応して、この指示の内容を表す指示内容情報を通信部１０２により眼科情報処理サーバー２００に向けて送信する。
【０１３７】
眼科情報処理サーバー２００は、この指示内容情報に基づく画像解析処理を解析処理部２２０により実行し、それにより得られた解析結果データを通信部２０２によりユーザー端末１００に向けて送信する。ユーザー端末１００の表示制御部１０５は、この解析結果データに基づく情報を表示部１０４に表示させる。
【０１３８】
このように構成することで、ユーザーが望む任意の指示内容を反映した画像解析処理を眼科情報処理サーバー２００で実行することが可能となる。
【０１３９】
眼科情報処理システム１は、次のように構成されていてもよい。ユーザー端末１００は、表示部１０４と、表示制御部１０５と、操作部と１０６とを有する。表示制御部１０５は、ユーザー端末１００により実行不可能な画像解析処理の種別を選択可能に提示するユーザーインターフェイスを表示部１０４に表示させる。ユーザー端末１００は、自身で実行不可能な画像解析処理の種別の選択がユーザーインターフェイス及び操作部１０６を用いてなされたことに対応して、この選択の内容を表す選択内容情報を通信部１０２により眼科情報処理サーバー２００に向けて送信する。
【０１４０】
眼科情報処理サーバー２００の配信プログラム記憶部２４１には、ユーザー端末１００により実行不可能な画像解析処理に対応するプログラムがあらかじめ記憶されている。読出処理部２４２は、ユーザー端末１００から送信された選択内容情報に対応するプログラムを配信プログラム記憶部２４１から読み出す。眼科情報処理サーバー２００は、読出処理部２４２により読み出されたプログラムを通信部２０２によりユーザー端末１００に向けて送信する。
【０１４１】
このように構成することで、ユーザーは、所望の画像解析処理に対応するプログラムを眼科情報処理サーバー２００から取得し、この画像解析処理をユーザー端末１００で行うことができる。
【０１４２】
眼科情報処理システム１は、次のように構成されていてもよい。ユーザー端末１００は、眼科情報処理サーバー２００の解析処理部２２０により実行可能な画像解析処理のうちの少なくとも一部の画像解析処理を画像データに施す解析処理部１１０を有する。ユーザー端末１００は、解析処理部１１０により得られた解析結果データを通信部１０２により眼科情報処理サーバー２００に向けて送信する。
【０１４３】
眼科情報処理サーバー２００は、自身の解析処理部２２０により得られた解析結果データと、ユーザー端末１００により得られた解析結果データとを比較する処理結果比較部２３１を有する。
【０１４４】
このように構成することで、ユーザー端末１００により得られた解析結果データと、眼科情報処理サーバー２００により得られた解析結果データとが同じであるか、また、どのように又はどの程度相違しているかを判断することができる。この判断結果は、たとえば、プログラムのバージョンの比較、ユーザー端末１００のリソースの評価、バグの有無など、様々な目的に用いることが可能である。
【０１４５】
眼科情報処理サーバー２００は、次のように構成されていてもよい。解析処理部２２０の標準データ記憶部２２３には、眼科検査装置により複数の被検眼について得られた複数の画像データに画像解析処理を施して得られた複数の解析結果データを統計的に処理することにより生成された標準データがあらかじめ記憶されている。更新処理部２２５は、眼科検査装置により得られた新たな画像データに基づく解析結果データに基づいて、標準データ記憶部２２３に記憶されている標準データを更新する。
【０１４６】
このように構成することで、標準データ記憶部２２３を適宜に更新することができ、標準データを用いた画像解析処理の精度や確度を担保することが可能になる。
【０１４７】
眼科情報処理システム１は、次のように構成されていてもよい。眼科情報処理サーバー２００には、ネットワークＮを介して相互に通信可能な複数のユーザー端末１００、１００Ａ、１４０が接続されている。眼科情報処理サーバー２００は、ユーザー毎にあらかじめ付与されたユーザー識別情報に基づいてユーザー毎のアカウントを管理するアカウント管理部２１０を有する。
【０１４８】
このように構成することで、各ユーザーに関わる情報を好適に管理することが可能である。
【０１４９】
アカウント管理部２１０は、次のように構成されていてもよい。アカウント管理部２１０は、課金情報記憶部２１２と、課金管理部２１３とを有する。課金情報記憶部２１２には、画像解析処理の種別と課金額とを対応付けた課金情報があらかじめ記憶されている。課金管理部２１３は、眼科情報処理サーバー２００の解析処理部２１０による画像解析処理が実行されたことに対応して、この画像解析処理に対応する課金額を課金情報に基づき取得し、この課金額と当該ユーザーのユーザー識別情報とを関連付ける。関連付けられた課金額とユーザー識別情報は、情報記憶部２１１における当該ユーザーのアカウントに記憶される。
【０１５０】
このように構成することで、サービスの利用状況に応じた課金額をユーザー毎に管理することが可能となる。
【０１５１】
１のユーザーが、２以上のユーザー端末（ユーザー端末１００、１００Ａを含む）を使用する場合において、アカウント管理部２１０を次のように構成することができる。第１のユーザー端末から送信された処理種別情報と画像データとに基づく画像解析処理が眼科情報処理サーバー２００の解析処理部２２０により実行されたとする。このとき、アカウント管理部２１０は、この画像解析処理により得られた解析結果データを当該ユーザーの２以上のユーザー端末の全てに送信可能に通信部２０２を制御する。
【０１５２】
このように構成することで、各ユーザー端末で利用したサービスの結果を全ての端末で共有することが可能となる。なお、複数のユーザー端末のうちの一部のみで情報を共有するように設定することも可能である。
【０１５３】
眼科情報処理サーバー２００は、次のように構成されていてもよい。アカウント管理部２１０の情報記憶部２１１には、ユーザー識別情報に関連付けられた当該ユーザーにより保存指示がなされた情報が、開示可能情報と開示不可能情報とに分類して記憶されている。眼科情報処理サーバー２００の通信部２０２は、ユーザー端末１００のユーザーにより保存指示がなされた情報のうち開示可能情報のみを、他のユーザーのユーザー端末１４０に送信可能とされる。
【０１５４】
このように構成することで、開示不可能情報の漏洩を防止することが可能になる。
【０１５５】
アカウント管理部２１０は、次のように構成されていてもよい。アカウント管理部２１０は、他のユーザーのユーザー端末１４０からユーザー端末１００のユーザー（のアカウント）に向けて送信されたデータを、ユーザー端末１００のユーザーのユーザー識別情報に関連付けて情報記憶部２１１に記憶させる。
【０１５６】
このように構成することで、他のユーザーから当該ユーザーに向けて送られたデータを、当該ユーザーに関わる情報として好適に管理することが可能となる。
【０１５７】
眼科情報処理システム１は、次のように構成されていてもよい。当該ユーザーのユーザー端末１００は、他のユーザーのコメントを依頼するための依頼指示を通信部１０２により眼科情報処理サーバー２００に向けて送信する。眼科情報処理サーバー２００のアカウント管理部２１０は、制御部２０１を介して通信部２０２を制御することにより、対象の画像データ及び／又は解析結果データを、他のユーザーのユーザー端末１４０に向けて送信させる。
【０１５８】
このように構成することで、当該ユーザーは、他のユーザーに対して、画像や解析結果データに対するコメントを依頼することができる。
【０１５９】
ユーザー端末１００は、次のように構成されていてもよい。ユーザー端末１００は、電子カルテデータ記憶部１０８と、記録処理部１０９とを有する。電子カルテデータ記憶部１０８には、患者毎の電子カルテデータが記憶されている。記録処理部１０９は、眼科情報処理サーバー２００から送信された解析結果データを、当該患者の電子カルテデータに記録する。
【０１６０】
このように構成することで、眼科情報処理サーバー２００により得られた解析結果データを、対応する患者の電子カルテに自動的に記録することが可能となる。
【０１６１】
この実施形態に係る眼科情報処理サーバー２００は、次のような構成を有する。眼科情報処理サーバー２００は、ネットワークＮを介して相互に通信可能にユーザー端末１００等に接続されている。眼科情報処理サーバー２００は、通信部２０２と、解析処理部２２０とを有する。通信部２０２は、ユーザー端末１００等から送信された、眼科検査装置により取得された被検眼の画像データと、この画像データに対する画像解析処理の種別を表す処理種別情報とを受信する。解析処理部２２０は、この処理種別情報に対応する画像解析処理をこの画像データに施して解析結果データを生成する。通信部２０２は、この解析結果データをネットワークＮを介してユーザー端末１００等（この画像データ等の送信元のユーザー端末）に向けて送信する。
【０１６２】
このような眼科情報処理サーバー２００によれば、ユーザー端末１００等から依頼を受けた画像解析処理を実行し、その処理結果をユーザー端末１００等に提供することができる。したがって、多くの医療機関において多種多様な眼科画像解析を実行することが可能となる。また、ユーザー端末１００等の使用状態に関わらず、画像解析処理を行うことができるという利点もある。
【０１６３】
この実施形態に係る眼科情報処理方法は、ネットワークＮを介して相互に通信可能に接続されたユーザー端末１００等と眼科情報処理サーバー２００とにより実行される。この眼科情報処理方法は、次のステップを含む：
（１）ユーザー端末１００等が、眼科検査装置により取得された被検眼の画像データを記憶するステップ；
（２）ユーザー端末１００等が、画像データに対する画像解析処理の種別を指定するステップ；
（３）ユーザー端末１００等が、指定された種別を表す処理種別情報とこの画像データとを、ネットワークＮを介して眼科情報処理サーバー２００に向けて送信するステップ；
（４）眼科情報処理サーバー２００が、ユーザー端末等から送信された処理種別情報及び画像データを受信するステップ；
（５）眼科情報処理サーバー２００が、この処理種別情報に対応する画像解析処理をこの画像データに施すステップ；
（６）眼科情報処理サーバー２００が、この画像データに対する画像解析処理により得られた解析結果データを、ネットワークＮを介してユーザー端末１００等（この画像データ等の送信元のユーザー端末）に向けて送信するステップ。
【０１６４】
このような眼科情報処理方法によれば、ユーザー端末１００等から依頼を受けた画像解析処理を実行し、その処理結果をユーザー端末１００等に提供することができる。したがって、多くの医療機関において多種多様な眼科画像解析を実行することが可能となる。また、ユーザー端末１００等の使用状態に関わらず、画像解析処理を行うことができるという利点もある。
【０１６５】
以上で説明した実施形態は、この発明の一例に過ぎない。この発明を実施しようとする者は、この発明の要旨の範囲内において、任意の変形、追加、省略を施すことが可能である。
【符号の説明】
【０１６６】
１  眼科情報処理システム
１００、１００Ａ、１４０  ユーザー端末
１０１  制御部
１０２  通信部
１０３  データ記憶部
１０４  表示部
１０５  表示制御部
１０６  操作部
１０７  処理種別指定部
１０８  電子カルテデータ記憶部
１０９  記録処理部
１１０  解析処理部
１１１  患者情報削除部
１１２  識別情報付与部
１１３  暗号化処理部
１５０  院内サーバー
２００  眼科情報処理サーバー
２０１  制御部
２０２  通信部
２１０  アカウント管理部
２１１  情報記憶部
２１２  課金情報記憶部
２１３  情報管理部
２２０  解析処理部
２２１  プログラム記憶部
２２２  プログラム選択部
２２３  標準データ記憶部
２２４  処理実行部
２２５  更新処理部
２３１  処理結果比較部
Ｈ  医療機関
Ｄ  データセンター
【図１】
0005951086.tif 000002
【図２】
0005951086.tif 000003
【図３】
0005951086.tif 000004
【図４】
0005951086.tif 000005